(57)【要約】【課題】メモリカードケースに収納するメモリカードの、カード収納部への出し入れを容易にする。【解決手段】蓋体を第１の連結部でケース本体に回転可能に連結し、蓋体を回転して開くと蓋体の回転に応じて、ケース本体内に配置され蓋体に第２の連結部で連結されたフレーム体が移動する。フレーム体の移動により、フレーム体に第１のヒンジにより連結され、ケース本体に第２のヒンジにより連結され、前記第１及び第２のヒンジの間に設けられた第３のヒンジで山状に屈曲する収納部は斜めになり、収納部に収納されたメモリカードの先端が突出する。【選択図】図１
2006113891.tif 000002
【特許請求の範囲】
【請求項１】
筐体を形成するケース本体、
前記ケース本体に第１の連結部によって連結され、前記第１の連結部を回転中心として回転して開閉される蓋体、
前記ケース本体内に配置され、前記蓋体の開閉に応じて前記第１の連結部の回りを回転する第２の連結部によって前記蓋体に連結されているフレーム体、
一方の端部が第１のヒンジ部により前記フレーム体に連結され、他方の端部が第２のヒンジ部により前記ケース本体に連結され、前記第１のヒンジ部と前記第２のヒンジ部との間に設けられた第３のヒンジ部を有するメモリカードの収納部、及び
前記収納部に設けられた、前記メモリカードを保持する保持部
を有するメモリカード収納ケース。
【請求項２】
前記蓋体を開くとき、前記第１の連結部を中心とする前記第２の連結部の回転に応じて、前記蓋体に連結されているフレーム体が前記ケース本体に対して移動し、前記第１及び第２のヒンジ部は谷折りに折れ曲がり、前記第３のヒンジ部は山折りに折れ曲がることを特徴とする請求項１記載のメモリカード収納ケース。
【請求項３】
前記蓋体を閉じたとき、前記収納部が前記フレーム体の板状部とほぼ平行になるように、前記収納部の他方の端部が前記ケース本体に取付けられており、
前記蓋体を開いたとき、前記第１及び第２のヒンジ部がそれぞれ谷折りに折れ曲がり、前記第３のヒンジ部が山折りに折れ曲がって山状に隆起することを特徴とする請求項１記載のメモリカード収納ケース。
【請求項４】
前記メモリカードを保持する前記保持部の、前記メモリカードを出し入れする方向の長さは、前記メモリカードの長さより短く設定され、
前記第３のヒンジ部が山状に隆起したとき、前記メモリカードの端部が突出することを特徴とする請求項１から３のいずれかに記載のメモリカード収納ケース。
【請求項５】
前記第１、第２及び第３のヒンジ部は、柔軟性有する材料で作った板状部材の片面に切れ目又は溝を入れて薄肉に形成したことを特徴とする請求項１記載のメモリカード収納ケース。
【請求項６】
前記第１の連結部は、回転軸で形成されていることを特徴とする請求項１記載のメモリカード収納ケース。    
【請求項７】
前記第１の連結部は、前記ケース本体と前記蓋体とを、柔軟性を有する部材で一体に形成し、片面に切れ目又は溝を入れて薄肉に形成した連結部であることを特徴とする請求項１記載のメモリカード収納ケース。
【発明の詳細な説明】
【技術分野】
【０００１】
本発明はＳＤカード等のメモリカードを収納するための収納ケースに関する。
【背景技術】
【０００２】
メモリカードは、デジタルカメラ等の小型のデジタル機器に広く用いられており、その種類もコンパクトフラッシュ（登録商標）カード、ＳＤカード等多種に及んでいる。このようなメモリカードはいずれも小型かつ薄型であり、機械的強度はそれほど大きくない。またメモリカードの電気接続手段であるコネクタは極めて小型かつ高精度である。このようなメモリカードの取り扱いにおいては、メモリカードに過度の外力を加えたり、強い振動を与えないように注意する必要がある。特にメモリカードを保管したり携帯する場合に、コネクタ内にちりやほこりが入らないようにある程度密閉機能を有するケース等に収納するのが望ましい。
【０００３】
このようなメモリカードを収納する第１の従来例のメモリカードケースが特許文献１に示されている。この第１の従来例によると、それぞれ一枚のメモリカードを挿入できる枠状のカード収納部を複数個、一枚の底板の面に並列に立てて並べている。カード収納部の底辺と底板との間は弾力性のある合成樹脂製のヒンジで連結されており、各カード収納部は底板の面に対して約５０°の傾き角で傾いた状態にある。カード収納部へのメモリカードの出し入れは、前記の約５０°傾いた状態で行う。各カード収納部を蓋等で押して応力を加えると、各カード収納部は前記の傾き角が１５°程になるまで押し倒されて高さが低くなる。そのため全体の体積が減少し、携帯時や保管時にコンパクトにすることができるというものである。
【０００４】
第２の従来例の半導体メモリカード収納ケースが特許文献２に示されている。この第２の従来例の半導体メモリカード収納ケースでは、クレジットカードと同等サイズの樹脂製の板状部材の片面に、メモリカードの寸法より若干大きい四角形の凹部を設けて収納ケース本体を構成している。凹部の深さはメモリカードの厚さより深く、この凹部にメモリカードを嵌め込む。凹部の壁面には凸状に形成した複数の係合部が設けられ、凹部に嵌め込んだメモリカードはこの係合部によって保持され、自然に脱落しないようになされている。前記凹部に臨む１つの辺にくぼみを形成してメモリカードの側面を露出させている。メモリカードを取り出すときは、手指の先をくぼみに露出するメモリカードの側面にかけて引き上げることにより、容易に取り出せるというものである。また他の例では凹部の底部に貫通穴を設け、この貫通穴に指を入れてメモリカードを押し出す。
【特許文献１】特許第３３１３０８７号公報
【特許文献２】特開２００１−１０１３６０号公報
【発明の開示】
【発明が解決しようとする課題】
【０００５】
前記第１の従来例のメモリカードケースでは、複数のカード収納部と底板が弾力性のある合成樹脂製のヒンジで連結されている。従って、カード収納部の角度は種々の条件によって変化し、一定の角度を保つのが困難である。例えばカード収納部にメモリカードを挿入すると、その重量によりカード収納部は倒れ前記の傾き角が小さくなる。またカード収納部からメモリカードを取り去ると、カード収納部は起き上がり前記傾き角が大きくなる。このように傾き角が不安定であるため、カード収納部へのメモリカードの出し入れは容易であるとはいえない。
また弾力性のある合成樹脂製のヒンジは、耐久性に劣り、短期間の使用で破断することがある。さらに、多数の枠状のカード収納部を弾力性のある合成樹脂製のヒンジを介して底板に取り付ける製造工程は極めて複雑であり、量産性に劣り大量生産により安価に作るのが困難である。
【０００６】
第２の従来例の半導体メモリカード収納ケースでは、メモリカードが露出しているので、コネクタ部にちり等の異物が入り動作不良を起こすおそれがある。また、メモリカードを凹部に嵌め込んだり取り出したりするとき、凹部の壁面に凸状に形成した係合部を押し開くために必要な力をメモリカードに加えることになる。そのためメモリカードに機械的歪を与えることがあり、取り扱い方によってはメモリカードに損傷を与えるおそれがある。
本発明は、メモリカードが露出せず、かつメモリカードに不要な力を加えることなく収納や取り出しが出来るとともに、耐久性に優れた使いやすいメモリカード収納ケースを提供することを目的とする。
【課題を解決するための手段】
【０００７】
本発明のメモリカード収納ケースは、筐体を形成するケース本体、前記ケース本体に、第１の連結部よって回転して開閉するように連結された蓋体、前記ケース本体内に配置され、前記蓋体の開閉に応じて前記第１の連結部の回りを回転する第２の連結部によって前記蓋体に連結されているフレーム体、一方の端部が第１のヒンジ部により前記フレーム体に連結され、他方の端部が第２のヒンジ部により前記ケース本体に連結され、前記第１のヒンジ部と前記第２のヒンジ部との間に設けられた第３のヒンジ部を有するメモリカードの収納部、及び前記収納部に設けられた、前記メモリカードを保持する保持部を有する。
【０００８】
本発明によれば、メモリカード収納ケースの蓋体を開くと、第２の連結部で蓋体に連結されたフレーム体が移動する。フレーム体の移動により、第１のヒンジでフレーム体に連結され、第２のヒンジでケース本体に連結された収納部は、前記第１及び第２のヒンジが谷折りに折れ曲がり、前記第１と第２のヒンジ間に設けられた第３のヒンジが山折りに折れ曲がって、第３のヒンジ部は山状に隆起する。これにより、収納部のカード保持部に保持されているメモリカードの端部が突出する。突出した端部は手指によりつまむのが容易であり、カード保持部へのメモリカードの出し入れが容易かつ敏速に行える。
【発明の効果】
【０００９】
本発明によれば、メモリカードを収納する収納部がケース本体と蓋体により覆われているので、メモリカードのコネクタ部にちり等の異物が入るのを避けることができる。蓋体を開くと、それに応じてケース本体内のフレーム体に設けられたメモリカードの収納部が山状に屈曲して、収納されたメモリカードの先端部分が突出する。そのためメモリカードを手指でつまむのが容易になる。収納部のメモリカードを入れる保持部はメモリカードを抵抗なく出し入れできるようにゆとりをもったサイズに設定されているので、メモリカードに不要な力が加わることはない。
【発明を実施するための最良の形態】
【００１０】
以下、本発明のメモリカードの収納ケースの好適な実施の形態について図１から図４を参照して説明する。図１は本実施の形態におけるメモリカード収納ケース（以下、単に収納ケースと略記する）の蓋体２を開いたときの斜視図であり、図２は図１のＩＩ−ＩＩ断面図である。図１と図２では、収納ケースの左右方向が逆になっている。図３は収納ケースの蓋体２が閉じたときの断面図であり、図４は同斜視図である。図３と図４では、収納ケースの左右方向が逆になっている。
図１及び図２において、この収納ケースはケース本体１、ケース本体１内に摺動可能に組込まれたフレーム体３及びケース本体１に第１の連結部である第１の回転軸８で回転可能に取付けられた蓋体２を備えている。回転軸８は、例えば蓋体２に設けられた孔に、ケース本体１に設けられた突起が入り込む形式のものである。ケース本体１、蓋体２及びフレーム体３は例えばポリスチロール等のプラスチックの成形体であり寸法、構造及び外観は、例えばコンパクトディスク（ＣＤ）のケースに似ている。ケース本体１に蓋体２を閉じた状態では、ちりなどの異物が入らないように、両者間の隙間を極力小さくするのが望ましい。蓋体２は透明なプラスチック材を用いるのが望ましい。
【００１１】
図１に示すように、蓋体２は、ケース本体１の左端部の両側にそれぞれ設けられた第１の回転軸８でケース本体１に回転可能に取付けられており、図３に示す蓋体２を閉じた状態から、図１及び図２に示す蓋体２を開いた状態まで約１３５度回転させることができる。
【００１２】
図２に示すように、蓋体２には、回転軸８から内側方向に所定距離離れた位置に第２の連結部である第２の回転軸１０が設けられている。回転軸１０も前記の回転軸８と同様に、例えばフレーム体３に設けられた孔に、蓋体２に設けられた突起が入り込む形式のものである。回転軸１０によってフレーム体３の右端部３ａが蓋体２に回転可能に連結されている。フレーム体３の左端部３ｂの両側にはそれぞれピン９が設けられている。図１に示すケース本体１の右端部の内側壁面に長い突状部でガイドレール１４が形成されており、ピン９は、ガイドレール１４とケース本体１の底板１ａとの間に摺動可能に挿入されている。図３に示すように、蓋体２を閉じた状態では、フレーム体３のピン９は図の左端部にある。また回転軸１０はケース本体１の底板１ａに近い位置にある。蓋体２を、図３に示す閉じた状態から時計方向に回転させて、図２に示すように開くと、ピン９がガイドレール１４とケース本体１の底板１ａとの間を摺動しつつフレーム体３は図の右方に移動する。このとき回転軸１０は、回転軸８の回りを時計方向に回転する。これにより回転軸１０は底板１ａの近傍から回転軸８の上方に移るので、フレーム体３の右端は上方にせり上り、傾いた状態になる。
【００１３】
図１、図２及び図３を参照して、フレーム体３の構成を詳細に説明する。フレーム体３は、四角形の枠状のフレーム部２３と、フレーム部２３で囲まれた板状部２５とを有する。フレーム部２３と板状部２５とは一体に成形されている。フレーム体３は例えばポリカーボネイト、ポリプロピレン、ナイロンなど柔軟性のある樹脂材料で作られており、以下に説明する各要素はフレーム体３の成形工程で同時に形成される。板状部２５には、切断線２７ａ、２８ａ、２９ａで三方が板状部２５から切り離されて収納部５が形成されている。収納部５には、ポケット状の３つのカード保持部５ａが設けられている。カード保持部５ａには後で詳しく説明するように、この収納ケースに収納するメモリカード２０が挿入されて保持される。カード保持部５ａの長さＬ１はメモリカード２０の長さＬ２より短く設定されている。
同様にして、切断線２７ｂ、２８ｂ、２９ｂ、で三方が板状部２５から切離されて収納部６が形成されている。収納部６にも３つのカード保持部６ａが設けられている。
【００１４】
収納部５の一方の端部は、第１のヒンジ部５ｂで板状部２５に連結されている。ヒンジ部５ｂは、フレーム体３の成形時に板状部２５の下面にＶ溝、凹溝等の溝又は細い切れ目を入れて、ヒンジ部５ｂとなる部分の板状部材２５の厚みを部分的に薄くすることによって薄肉に形成される。ヒンジ部５ｂによって、図２に示すように、収納部５は反時計回りに回転可能となる。収納部５の右端部には、前記第１のヒンジ部５ｂと同様の構造の第２のヒンジ部５ｄが形成されており、第１及び第２のヒンジ部５ｂ、５ｄの間に第３のヒンジ部５ｃが形成されている。第２のヒンジ部５ｄでは、収納部５の下面にＶ溝、凹溝等の溝又は細い切れ目が入れられ、第３のヒンジ部５ｃでは、収納部５の上面にＶ溝、凹溝等の溝又は細い切れ目が入れられている。ヒンジ部５ｂ、５ｃ、５ｄにより、後で説明する抜け止め部５ｅを有する部分が時計方向に回転可能になる。同様にして収納部６は、第１のヒンジ部６ｂで板状部２５に連結され、前記の収納部５と同様の構造と機能を有する第２のヒンジ部６ｄ及び第３のヒンジ部６ｃを有している。
【００１５】
収納部５及び６のそれぞれの他方の端部である固定端部５ｆ及び６ｆは、図３に示すように、収納部５及び６が板状部２５と平行になる状態でケース本体１に形成されている台状のベース１１及び１２にそれぞれ接着剤等で固定されている。これにより、図３に示すように蓋体２を閉じた状態では、ヒンジ部５ｂ、５ｄ、５ｃ及びヒンジ部６ｂ、６ｄ、６ｃが屈曲せず、収納部５及び６は板状部２５と同一の面上にある。
【００１６】
本実施の形態の収納ケースの使用方法を以下に説明する。図３及び図４はこの収納ケースの蓋体２を閉じた状態を示し、フレーム体３の例えば収納部５及び６の保持部５ａ及び６ａにＳＤメモリカード等のメモリカード２０が差し込まれ収納されている。この状態では、フレーム体３はケース本体１と蓋体２により覆われているので、収納部５及び６にちりなどの異物が入るおそれはない。収納部５及び６は板状部２５と同じ面に位置しているので、保持部５ａ及び６ａに挿入されたメモリカード２０は、図４に示すように、それぞれの抜け止め部５ｅ及び６ｅによって保持部５ａ及び６ａから抜け出すのを阻止される。従って、収納ケースの持ち運び中に収納ケースをどのような姿勢にしてもメモリカード２０が保持部５ａ及び６ａから抜け出るおそれはない。また収納部５及び６が板状部２５と同じ面にあるので、フレーム体３の厚みは最小になって、ケース本体１と蓋体２の間に納まる。収納部５は３つあるので３枚のメモリカード２０を収納でき、収納部６も３つあるので３枚のメモリカード２０を収納できる。従って合計６枚のメモリカード２０を収納できる。収納部の数は６つに限定されるものではなく６つ以下又はそれ以上であってもよい。
【００１７】
収納ケースからメモリカード２０を取り出すために、図２に示すように蓋体２を開くには、蓋体２を第１の回転軸８を回転中心として時計方向に回転させる。蓋体２の回転により、第２の回転軸１０は第１の回転軸８の回りを時計方向に回転する。これによりフレーム体３の右端部３ａは図の右方へ移動しつつ上方に持ち上げられる。このときフレーム体３の左端部３ｂでは、ピン９がガイドレール１４に沿って移動し、フレーム体３は右上がりに傾斜する。
【００１８】
収納部５及び６において、フレーム体３の右方への移動により、固定部５ｆでケース本体１に固定された収納部５は、ヒンジ部５ｂで谷折りに折れ曲がり、ヒンジ部５ｃで山折りに折れ曲がり、かつヒンジ部５ｄで谷折りに折れ曲がる。同様にして、固定部６ｆでケース本体１に固定された収納部６は、ヒンジ部６ｂで谷折りに折れ曲がり、ヒンジ部６ｃで山折りに折れ曲がり、かつヒンジ部６ｄで谷折りに折れ曲がる。その結果、図２に示すように、収納部５及び６はそれぞれのヒンジ部５ｃ、６ｃを頂上にして山状に屈曲し、保持部５ａ及び６ｂに挿入されて保持されているメモリカード２０の先端部２０ａが突出した状態になる。このようにメモリカード２０の先端部２０ａが突出するので、メモリカード２０を手指でつまみやすくなる。また収納部５及び６が斜めになっているので、それぞれの保持部５ａ及び６ａへのメモリカード２０の出し入れが容易であり、使い勝手が極めてよい。図３に示すように蓋体２を閉じたとき、メモリカード２０が保持部５ａ及び６ａから抜けるのを防止する抜け止め部５ｅ、６ｅが、図２に示すように蓋体２を開いたとき、ヒンジ５ｃ及び６ｃの山折りの屈曲によりメモリカード２０から離れるので、メモリカード２０の出し入れの邪魔にならない。
【００１９】
以上の実施の形態において、前記第１の連結部は、具体的な例として回転軸８で構成した例を示したが、この回転軸８の代わりに、ケース本体１と蓋体２とをフレーム体３と同じ材質である柔軟性のある樹脂材料で一体的に構成し、前記ヒンジ５ｂ、６ｂ等と同様の構造に形成したヒンジによる連結部としてもよい。この場合、Ｖ溝、凹溝等の溝又は細い切れ目を形成するのは、ケース本体と蓋体との接合部であって、その外側又は内側のどちらに形成しても良い。また、ケース本体１と蓋体２とは同一の工程で同時に一体的に成形するのが望ましい。 
【００２０】
以上のように本発明の収納ケースは、ＣＤケースに類似の外観とサイズを有するので保管が容易である。メモリカードを取り出すため蓋体２を開くと、収納部５、６が自動的に隆起して、メモリカードが斜めに突出するので手指でつまみやすく、メモリカードの出し入れが容易であるので使い勝手がよい。蓋体２を閉じるとほぼ密閉状態になるのでちりなど異物が入りにくく、メモリカードの保護の点でも有効である。
【産業上の利用可能性】
【００２１】
本発明は、ＳＤメモリカード等のカード形状の種々のメモリカードの収納ケースとして利用可能である。
【図面の簡単な説明】
【００２２】
【図１】本発明の実施の形態のメモリカード収納ケースの、蓋体を開いたときの斜視図
【図２】図１のＩＩ−ＩＩ断面図
【図３】本発明の実施の形態のメモリカード収納ケースの、蓋体を閉じたときの側断面図
【図４】本発明の実施の形態のメモリカード収納ケースの、蓋体を閉じたときの斜視図
【符号の説明】
【００２３】
１  ケース本体
２  蓋体
３  フレーム体
５、６  収納部
５ａ、６ａ  保持部
５ｂ、６ｂ  第１のヒンジ
５ｃ、６ｃ  第２のヒンジ
５ｄ、６ｄ  第３のヒンジ
５ｅ、６ｅ  抜け止め部材
５ｆ、６ｆ  固定端部
８  第１の回転軸
９  ピン
１０  第２の回転軸
１１、１２  ベース
１４  ガイドレール
２０  メモリカード
２０ａ  メモリカードの端部
２３  枠状部
２５  板状部
【図１】
2006113891.tif 000003
【図２】
2006113891.tif 000004
【図３】
2006113891.tif 000005
【図４】
2006113891.tif 000006